(57)【要約】【課題】一般の消費者が、各地の旬の食材などの産物情報をリアルタイムで得られるようにすること。【解決手段】各消費者の端末と、各流通業者の端末とから、ネットワークを介してアクセスされるサーバであって、各流通業者の扱っている産物を生産する各産地の各生産者の端末から送られ、これら流通業者の端末に受け取られ、更に、これら流通業者の端末から送られる産物情報を、保管する機能と、各地の産物情報がマッピングされた地図を消費者の端末に表示し、この消費者の端末にて、この消費者に、産物情報を閲覧させる機能とを有することを特徴とする産物流通サーバ。【選択図】なし【特許請求の範囲】
【請求項１】
各消費者の端末と、各流通業者の端末とから、ネットワークを介してアクセスされるサーバであって、
各流通業者の扱っている産物を生産する各産地の各生産者の端末から送られ、これら流通業者の端末に受け取られ、更に、これら流通業者の端末から送られる産物情報を、保管する機能と、
各地の産物情報がマッピングされた地図を消費者の端末に表示し、この消費者の端末にて、この消費者に、産物情報を閲覧させる機能とを有することを特徴とする産物流通サーバ。
【請求項２】
消費者の端末にて、この消費者に、情報が地図にマッピングされている産物を、購入申込させる機能と、
購入申込がなされた産物を扱っている流通業者の端末にて、この流通業者に、この購入申込を受け取らせる機能とを有することを特徴とする請求項１に記載の産物流通サーバ。
【請求項３】
各消費者の端末と、各流通業者の端末とから、ネットワークを介してアクセスされるサーバが実行する方法であって、
各流通業者の扱っている産物を生産する各産地の各生産者の端末から送られ、これら流通業者の端末に受け取られ、更に、これら流通業者の端末から送られる産物情報を、保管する工程と、
各地の産物情報がマッピングされた地図を消費者の端末に表示し、この消費者の端末にて、この消費者に、産物情報を閲覧させる工程とを含むことを特徴とする産物流通方法。
【請求項４】
消費者の端末にて、この消費者に、情報が地図にマッピングされている産物を、購入申込させる工程と、
購入申込がなされた産物を扱っている流通業者の端末にて、この流通業者に、この購入申込を受け取らせる工程とを含むことを特徴とする請求項３に記載の産物流通方法。
【請求項５】
各消費者の端末と、各流通業者の端末とから、ネットワークを介してアクセスされるサーバに、
各流通業者の扱っている産物を生産する各産地の各生産者の端末から送られ、これら流通業者の端末に受け取られ、更に、これら流通業者の端末から送られる産物情報を、保管するステップと、
各地の産物情報がマッピングされた地図を消費者の端末に表示し、この消費者の端末にて、この消費者に、産物情報を閲覧させるステップとを実行させることを特徴とする産物流通プログラム。
【請求項６】
消費者の端末にて、この消費者に、情報が地図にマッピングされている産物を、購入申込させるステップと、
購入申込がなされた産物を扱っている流通業者の端末にて、この流通業者に、この購入申込を受け取らせるステップとを実行させることを特徴とする請求項５に記載の産物流通プログラム。
【請求項７】
請求項５又は６に記載の産物流通プログラムを記録した記録媒体。
【発明の詳細な説明】
【０００１】
【発明の属する技術分野】
本発明は、各地の旬の食材などの産物を流通させるサーバ、方法、プログラム、及び、このプログラムを記録した記録媒体に関する。
【０００２】
【従来の技術】
一般に、旬の食材が流通している。また、旬の食材を用いる料理の調理方法も、本や雑誌などで閲覧可能である。
【０００３】
【発明が解決しようとする課題】
しかしながら、一般の消費者には、旬の食材情報（商品特性、産地、レシピ、購入方法、生産農協、生産者名、収穫時期、予想収穫高など）が、リアルタイムでは得難い状況にある。
【０００４】
本発明は、このような状況を鑑みてなされたもので、より一般に、一般の消費者が、各地の旬の食材などの産物情報をリアルタイムで得られるようにすることを課題とする。
【０００５】
【課題を解決するための手段】
本発明において上記の課題を達成するために、まず請求項１の発明では、各消費者の端末と、各流通業者の端末とから、ネットワークを介してアクセスされるサーバであって、
各流通業者の扱っている産物を生産する各産地の各生産者の端末から送られ、これら流通業者の端末に受け取られ、更に、これら流通業者の端末から送られる産物情報を、保管する機能と、
各地の産物情報がマッピングされた地図を消費者の端末に表示し、この消費者の端末にて、この消費者に、産物情報を閲覧させる機能とを有することを特徴とする産物流通サーバとしたものである。
【０００６】
また請求項２の発明では、消費者の端末にて、この消費者に、情報が地図にマッピングされている産物を、購入申込させる機能と、
購入申込がなされた産物を扱っている流通業者の端末にて、この流通業者に、この購入申込を受け取らせる機能とを有することを特徴とする請求項１に記載の産物流通サーバとしたものである。
【０００７】
また請求項３の発明では、各消費者の端末と、各流通業者の端末とから、ネットワークを介してアクセスされるサーバが実行する方法であって、
各流通業者の扱っている産物を生産する各産地の各生産者の端末から送られ、これら流通業者の端末に受け取られ、更に、これら流通業者の端末から送られる産物情報を、保管する工程と、
各地の産物情報がマッピングされた地図を消費者の端末に表示し、この消費者の端末にて、この消費者に、産物情報を閲覧させる工程とを含むことを特徴とする産物流通方法としたものである。
【０００８】
また請求項４の発明では、消費者の端末にて、この消費者に、情報が地図にマッピングされている産物を、購入申込させる工程と、
購入申込がなされた産物を扱っている流通業者の端末にて、この流通業者に、この購入申込を受け取らせる工程とを含むことを特徴とする請求項３に記載の産物流通方法としたものである。
【０００９】
また請求項５の発明では、各消費者の端末と、各流通業者の端末とから、ネットワークを介してアクセスされるサーバに、
各流通業者の扱っている産物を生産する各産地の各生産者の端末から送られ、これら流通業者の端末に受け取られ、更に、これら流通業者の端末から送られる産物情報を、保管するステップと、
各地の産物情報がマッピングされた地図を消費者の端末に表示し、この消費者の端末にて、この消費者に、産物情報を閲覧させるステップとを実行させることを特徴とする産物流通プログラムとしたものである。
【００１０】
また請求項６の発明では、消費者の端末にて、この消費者に、情報が地図にマッピングされている産物を、購入申込させるステップと、
購入申込がなされた産物を扱っている流通業者の端末にて、この流通業者に、この購入申込を受け取らせるステップとを実行させることを特徴とする請求項５に記載の産物流通プログラムとしたものである。
【００１１】
また請求項７の発明では、請求項５又は６に記載の産物流通プログラムを記録した記録媒体としたものである。
【００１２】
【発明の実施の形態】
以下に、本発明の一実施形態を、旬の食材を例に採って説明するが、本発明は、旬の食材に限らず、一般の産物にも適用可能である。
【００１３】
１．構成
本実施形態では、図１に示すように、各産地の各生産者の端末と、各流通業者の端末と、各消費者の端末と、サーバとがネットワークに接続されているシステムを利用して、旬の食材の流通がなされる。
【００１４】
ネットワークは、各流通業者の端末とサーバとの間でデータ通信が可能であり、各消費者の端末とサーバとの間でデータ通信が可能であり、かつ、取引関係にある産地の生産者と流通業者との間で各々の端末を用いてデータ通信可能であれば、その種類や形態に特に制限は無く、例えば、インターネットや専用回線でも良く、また、途中で光通信や無線通信が行なわれるものであっても良い。
【００１５】
産地の生産者、流通業者、消費者それぞれは、端末として、例えば、パソコンなどのコンピュータ、或いは、携帯電話などの携帯端末を所持する。
【００１６】
サーバは、ネットワークを介して、各消費者の端末と、各流通業者の端末とからアクセスされるコンピュータシステムであって、以下の（１）〜（４）の機能を有する。
（１）各流通業者の扱っている旬の食材を生産する各産地の各生産者の端末から送られ、これら流通業者の端末に受け取られ、更に、これら流通業者の端末から送られる旬の食材情報を、保管する機能。
（２）各地の旬の食材情報がマッピングされた地図を消費者の端末に表示し、この消費者の端末にて、この消費者に、旬の食材情報を閲覧させる機能。
（３）消費者の端末にて、この消費者に、情報が地図にマッピングされている旬の食材を、購入申込させる機能。
（４）購入申込がなされた旬の食材を取り扱っている流通業者の端末にて、この流通業者に、この購入申込を受け取らせる機能。
【００１７】
旬の食材情報には、例えば、商品特性、産地、レシピ、購入方法、生産農協、生産者名、収穫時期、予想収穫高などが含まれる。
【００１８】
２．処理
図１に示す構成のシステムを利用してなされる処理を、旬の食材情報のサーバへの保管に係る処理と、旬の食材の購入に係る処理とに別けて、以下に説明する。
【００１９】
２．１．旬の食材情報のサーバへの登録に係る処理
旬の食材情報のサーバへの登録に係る処理の一例を、以下のＳＴＥＰ１〜３に説明する。
【００２０】
ＳＴＥＰ１；
産地の生産者は、この産地の生産者の端末を用いて、この産地の生産者と取引関係にある流通業者に、この流通業者の扱っている旬の食材の情報を送る。
【００２１】
ＳＴＥＰ２；
流通業者の端末は、この流通業者と取引関係にある産地の生産者の端末から送られた、この流通業者の扱っている旬の食材の情報を受け取る。
【００２２】
ＳＴＥＰ３；
流通業者の端末は、サーバにアクセスして、この流通業者の扱っている旬の食材の情報をサーバに保管する。
【００２３】
旬の食材情報のサーバへの登録に係る処理を、もう一例、以下のＳＴＥＰ１〜３に説明する。
【００２４】
ＳＴＥＰ１；
産地の生産者は、この産地の生産者の端末にて、この産地の生産者と取引関係にある流通業者に、この流通業者の扱っている旬の食材の情報を送る。
【００２５】
ＳＴＥＰ２；
流通業者は、この流通業者の端末にて、この流通業者と取引関係にある産地の生産者の端末から送られた、この流通業者の扱っている旬の食材の情報を受け取る。
【００２６】
ＳＴＥＰ３；
流通業者は、この流通業者の端末から、サーバにアクセスして、この流通業者の扱っている旬の食材の情報をサーバに保管する。
【００２７】
２．２．旬の食材の購入に係る処理
旬の食材の購入に係る処理の一例を、以下のＳＴＥＰ１〜５に説明する。
【００２８】
ＳＴＥＰ１；
消費者は、この消費者の端末からサーバにアクセスすることにより、各地の旬の食材情報がマッピングされた地図を、この消費者の端末に表示して、興味ある旬の食材情報を閲覧する。
【００２９】
ＳＴＥＰ２；
消費者が、この消費者の端末にて、情報が地図にマッピングされている旬の食材の中で、欲しい旬の食材の購入申込すると、この消費者の端末は、この購入申込をサーバに送信する。
【００３０】
ＳＴＥＰ３；
サーバは、旬の食材の購入申込を受け取り、この旬の食材を扱っている流通業者に、この購入申込を転送する。
【００３１】
ＳＴＥＰ４；
流通業者は、この流通業者の端末にて、旬の食材の購入申込を受け取り、この購入申込に基づいて、この旬の食材を生産している産地の生産者に、納入指示を送る。
【００３２】
ＳＴＥＰ５；
産地の生産者は、この産地の生産者の端末にて、納入指示を受け取る。
尚、産地の生産者は、納入指示に従って、旬の食材を流通業者に出荷し、流通業者は、この旬の食材を購入申込した消費者に届ける。
【００３３】
【発明の効果】
請求項１、３、５の発明、及び請求項７の発明の中で請求項５を引用する部分の発明は、一般の消費者が、各地の旬の食材などの産物情報をリアルタイムで得られるという効果がある。
【００３４】
また請求項２、４、６の発明、及び請求項７の発明の中で請求項６を引用する部分の発明は、上記効果に加えて、一般の消費者が、各地の旬の食材などの産物を購入することができるという効果がある。
【図面の簡単な説明】
【図１】本実施形態に係るシステムの構成例を示す図。
【図１】
2004287677.tif 000002